(57)【要約】【課題】スキュー歪みのあるコンテンツをインターレース方式で表示する際に発生する可能性のあるチラつきを視聴者に意識させない表示と、入力された映像に忠実な表示とを、自動的に切り替える。【解決手段】デジタル放送受信機１のチラつき検出／表示制御部１６は、所定のタイミングで、映像データの画面上部の映像に基づいてチラつきを検出し、チラつきが検出された場合に前記チラつきを隠す表示制御をする。【選択図】図１
2011151715.tif 000002
【特許請求の範囲】
【請求項１】
所定のタイミングで、映像データの画面上部の映像に基づいてチラつきを検出し、チラつきが検出された場合に前記チラつきを隠す表示制御をすることを特徴とする、映像表示装置。
【請求項２】
映像データを表示する映像表示装置であって、
前記映像データの画面上部の映像に基づいてチラつきを検出する異常検出手段と、
前記異常検出手段によりチラつきが検出された場合に前記チラつきを隠す表示制御をする表示制御手段と、
を有することを特徴とする、映像表示装置。
【請求項３】
前記異常検出手段は、前記映像データの表示が開始されたタイミングで、チラつきの検出をすることを特徴とする、請求項２記載の映像表示装置。
【請求項４】
前記映像データが連続するテレビ番組のストリームであって、
前記異常検出手段は、前記テレビ番組の番組表に基づく前記テレビ番組の切り替わりタイミングで、チラつきの検出をすることを特徴とする、請求項２又は３記載の映像表示装置。
【請求項５】
映像データを表示する映像表示装置の制御方法であって、
前記映像データの画面上部の映像に基づいてチラつきを検出する異常検出工程と、
前記異常検出工程にてチラつきが検出された場合に前記チラつきを隠す表示制御をする表示制御工程と、
を含むことを特徴とする、映像表示装置の制御方法。
【発明の詳細な説明】
【技術分野】
【０００１】
本発明は、映像表示装置及びその制御方法に関し、特に、スキュー歪みのあるコンテンツをインターレース方式で表示する際に発生する可能性のあるチラつきによる課題を解決する技術に関する。
【背景技術】
【０００２】
かつて、一般的な民生用のテレビジョン受像器では、受信したテレビ放送を表示する際に表示内容の上下左右１０％程度を隠して表示するのが通例であった。この表示方式を「オーバースキャン」と呼ぶ（特許文献１の段落０００２参照）。
【０００３】
民生用のテレビジョン受像器に対して、例えば、デジタルテレビ放送やケーブルテレビ放送を受信して番組を表示するテレビ機能とパーソナルコンピュータが一体に構成されたデスクトップパソコンでは、表示内容の全てを表示することが可能であり、このような表示方式が標準であるデスクトップパソコンも存在する。このような表示方式を、本明細書では「標準視聴状態」と呼ぶ。
【０００４】
なお、特許文献１には、通常のコンピュータ画面を民生用のテレビジョン受像器で表示する際に、コンピュータ画面を縮小して表示する「アンダースキャン」方式と、「オーバースキャン」方式を自動的に切り替える技術について記載している。
【０００５】
なお、オーバースキャンにおける表示領域は、社団法人電波産業会（ＡＲＩＢ）の技術資料が定める規格によると、水平方向・垂直方向ともに９３％とされており、表示内容の縁から上下左右それぞれ３．５％が表示されないこととなる。
【先行技術文献】
【特許文献】
【０００６】
【特許文献１】特開２００５−３４５５２３号公報
【発明の概要】
【発明が解決しようとする課題】
【０００７】
ところで、古い映像コンテンツでビデオテープに映像信号を記録したコンテンツには、「スキュー歪み」と呼ばれる現象が見られる場合がある。スキュー歪みがあるコンテンツの全表示内容を見ると、画面の上部の垂直線が左又は右に湾曲して見える。このスキュー歪みがインターレース方式の表示方法と相まって、視聴者にとっては「チラつき」と認識される場合がある。
【０００８】
前述のような、表示内容の全てを表示することが標準である映像表示装置では、標準視聴状態でこのチラつきが発生した場合、元々のコンテンツの影響で画面上部がチラつくように見えるにもかかわらず、視聴者に、故障であると疑われることがあった。
【０００９】
しかしながら、スキュー歪みに対応して常にオーバースキャンで表示することとすると、画面上部が隠されるため視聴者がチラつきを意識することはなくなるが、視聴者は、常に実際の画角より一回り小さな画角で映像視聴することとなり、チラつきとは関係ない部分の表示欠けが常時発生していることになる。つまり、実際の映像に忠実な表示が常時できない状態となる。
【００１０】
オーバースキャンと標準視聴状態とを、視聴者の手動操作（設定）により切り替えられる仕組みを持たせるテレビジョン受像器もあるが、この場合、あくまで視聴者の意志によって切り替え操作が発生するのであって、視聴者の操作が煩雑となる。
【００１１】
本発明は、上記実情に鑑みてなされたものであって、チラつきを視聴者に意識させない表示と入力された映像に忠実な表示とを、自動的に切り替えることが可能な映像表示装置及びその制御方法を提供することを目的とする。
【課題を解決するための手段】
【００１２】
上記目的を達成するために本発明は、第１の態様として、映像データを表示する映像表示装置であって、前記映像データの画面上部の映像に基づいてチラつきを検出する異常検出手段と、前記異常検出手段によりチラつきが検出された場合に前記チラつきを隠す表示制御をする表示制御手段と、を有することを特徴とする、映像表示装置を提供するものである。
【００１３】
また、上記目的を達成するために本発明は、第２の態様として、映像データを表示する映像表示装置の制御方法であって、前記映像データの画面上部の映像に基づいてチラつきを検出する異常検出工程と、前記異常検出工程にてチラつきが検出された場合に前記チラつきを隠す表示制御をする表示制御工程と、を含むことを特徴とする、映像表示装置の制御方法を提供するものである。
【発明の効果】
【００１４】
本発明によれば、チラつきを視聴者に意識させない表示と入力された映像に忠実な表示とを、自動的に切り替えることが可能となる。
【図面の簡単な説明】
【００１５】
【図１】本発明の実施形態１の構成を示すブロック図である。
【図２】番組切り替わりのタイミングの概念を説明するための説明図である。
【図３】本発明の実施形態１の処理の流れを示すフローチャートである。
【図４】本発明の実施形態１におけるチラつき防止表示を説明するための図である。
【図５】本発明の実施形態２の構成を示すブロック図である。
【発明を実施するための形態】
【００１６】
以下で説明する実施形態では、チラつきを視聴者に意識させない表示の方式を「チラつき防止表示」と呼ぶ。また、入力された映像に忠実な表示の方式については、前述の「標準視聴状態」を用いる。つまり、表示内容の全てを表示する方式である。
【００１７】
（実施形態１）
図１に、本発明を好適に実施した一実施形態の全体構成を示す。本実施形態は、地上デジタル放送を受信して放送波に含まれる映像データを表示する機能を持ったデジタル放送受信機に本発明を適用した実施形態である。
【００１８】
図１に示すように、デジタル放送受信機１は、受信部１１、ストリーム分離部１２、映像デコード部１３、表示処理部１４、表示部１５、チラつき検出／表示制御部１６、番組表管理部１７、番組表データ１８、受信制御部１９及びユーザインタフェース２０を含んで構成されている。
【００１９】
受信部１１は、放送波を受信して受信したストリームをストリーム分離部１２に入力するチューナとして機能する。また、受信部１１は、受信制御部１９の制御により受信するチャンネルを変更する機能も備える。
【００２０】
ストリーム分離部１２は、映像、音声、データ等の多重化されたストリームを分離するＤＥＭＵＸ処理を行う。ストリーム分離部１２は、分離されたストリームのうち番組表に関するデータを番組表管理部１７に入力し、映像に関するストリームを映像デコード部１３に入力する。その他のストリームについては本発明に直接関係しないため説明を割愛する。
【００２１】
映像デコード部１３は、入力された映像に関するストリームをデコードして映像データとして後段の処理ブロックに入力する。ストリームについては限定しないが、例えば、ＭＰＥＧやＨ．２６４等の規格のものが考えられる。
【００２２】
表示処理部１４は、表示部１５の表示可能な範囲や大きさを測距等によって取得するスケーラとして機能する。また、表示処理部１４は、映像デコード部１３がデコードした映像データを、表示部１５に画角を合わせて表示させる機能も有する。また、本実施形態においては、表示処理部１４は、基本的に、入力された映像データに忠実な表示をするため、表示部１５に表示内容の全てを表示させる（「標準視聴状態」）。チラつき検出／表示制御部１６によって「チラつき防止表示」をするように指示する制御信号を受けた場合に、チラつき防止表示で表示部１５に映像データを表示させる。
【００２３】
表示部１５は、例えば、ＨＤＴＶを表示することのできるモニタである。
番組表管理部１７は、ストリーム分離部１２より入力された番組表に関するストリームから番組表データ１８を作成して一時的に保持・管理する。また、本実施形態においては、番組表管理部１７は、チラつき検出／表示制御部１６にチラつき検出を実行するタイミングを通知するタイミング信号を送出する。
【００２４】
ここで、番組表管理部１７がタイミング信号を送出するのは、番組切り替わりのタイミングであると好ましい。あるチャンネルでは、番組が次々と時系列で連続して連なっている（図２参照）。番組切り替わりのタイミングとは、図２で示すような番組の交代の直後のタイミングであるとする。
【００２５】
本願の課題の説明で考察したように、「チラつき」は映像コンテンツに依存する。ビデオテープに記録されているような映像コンテンツをデジタル化して放送するようなケースで問題となる。したがって、常時チラつき検出を実行するとリソースを無駄に消費してしまう。番組切り替わりのタイミングでチラつき検出をすることによって、装置の処理負荷を軽減させることができる。
【００２６】
ユーザインタフェース２０は、例えば、リモートコントローラであり、デジタル放送受信機１に視聴者によるチャネル切り替えの指示を入力する。
受信制御部１９は、ユーザインタフェース２０により入力された番組切り替えの指示に基づき、受信部１１に受信するチャンネルを変更させる制御をする機能を備える。また、本実施形態においては、チラつき検出／表示制御部１６にも、受信するチャンネルを変更させる制御を行ったこと、つまり、チャンネル切り替えをしたことを通知する。
【００２７】
なお、チャンネル切り替えをしたことを通知するタイミングには、デジタル放送受信機１を起動したタイミングも含むこととする。汎用のコンピュータにアプリケーションを実行させて、コンピュータ資源とそれを利用するアプリケーションの協働によりデジタル放送受信機１の有する各機能を実現させた場合には、アプリケーション立ち上げのタイミングもチャンネル切り替えのタイミングに含まれる。
【００２８】
チラつき検出／表示制御部１６は、所定のタイミングでチラつき検出を行い、検出の結果チラつきが検出された場合に、表示処理部１４にチラつき防止表示をするように制御する制御信号を送出する。
【００２９】
ここで、所定のタイミングとは、前述のように、同一のチャンネルを連続表示している場合には番組切り替わりのタイミングであり、チャンネルの変更があった場合にはチャンネル切り替えのタイミングである。
【００３０】
本実施形態におけるチラつき検出は、映像デコード部１３による映像デコード処理後、表示内容の画面上部の数ラインの状態を確認しその確認結果に基づいて行う。その判断方法については、種々の方式を用いることができる。一例としては、画像の高周波成分の分布状況や、輝度比較に基づく方式を用いることができる。本発明は判断方法について限定しない。
【００３１】
なお、本願の課題の説明で考察したように、「チラつき」は映像コンテンツの上部に現れる。そこで、画面全体ではなく画面上部のみをチラつき検出対象とする。具体的には垂直方向に上３．５％の領域である。例えば、ＭＰＥＧの上から数ラインを当該ラインより下の任意の数ラインと輝度比較する。このように、検出対象を限定することで、装置の処理負荷を軽減させることができる。
【００３２】
図３に、チラつき検出／表示制御部１６を中心にした本実施形態の各ブロックが実行する処理の流れを示す。
図３に示すように、チラつき検出／表示制御部１６は、まずチラつき検出のタイミングであるか否かを判定し（ステップＳ１０１）、該当する場合にのみチラつき検出処理を行う（ステップＳ１０２）。
【００３３】
チラつき検出／表示制御部１６は、チラつき検出処理の結果、チラつきが有る場合（ステップＳ１０３、Ｙｅｓ）、現在表示処理部１４がチラつき防止表示処理をしているか否か確認して（ステップＳ１０４）、していなければチラつき防止表示処理をするように制御する（ステップＳ１０５）。
一方で、チラつきがない場合（ステップＳ１０３、Ｎｏ）、同様に現在表示処理部１４がチラつき防止表示処理をしているか否か確認して（ステップＳ１０６）、しているならば標準視聴状態に戻すように制御する（ステップＳ１０７）。
【００３４】
次に、本実施形態における「チラつき防止表示」について説明する。
表示処理部１４は、図４に示すような表示処理を実行して得られた映像を表示部１５に表示させる。
【００３５】
第１には、従来公知のオーバースキャンを映像に施す（図４（ａ）（ｂ））。表示部１５の表示可能領域を超えて映像をズームして表示させるとチラつきの検出された領域が表示可能領域からはみ出した部分に位置することとなるので、チラつきを視聴者に意識させない表示となる。図４（ａ）はアスペクト比４：３の場合、（ｂ）は１６：９の場合を示している。
【００３６】
第２には、映像をズームしないで、映像全体を上部が隠れるように上へシフトさせる表示処理を行う（図４（ｃ））。同様に、チラつきを視聴者に意識させない表示となる。
第３には、映像全体の表示の上にマスク画像をかぶせる表示処理を行う（図４（ｄ））。マスク画像は例えば黒の単色等である。同様に見かけ上チラつきを隠せるので、チラつきを視聴者に意識させない表示となる。
【００３７】
実施形態１によれば、普段は入力された映像をそのまま表示するので入力された映像に忠実な表示を行うことができ、必要な場合のみ自動的にチラつきを防止する表示を行うので、チラつきを視聴者に意識させないことが可能になる。
また、チラつき検出を常時行わず所定のタイミングで実行するため、視聴時における装置の処理負荷を軽減できる。
【００３８】
（実施形態２）
図５に、本発明を好適に実施した他の一実施形態の全体構成を示す。本実施形態は、アナログ映像信号を入力してそれに含まれる映像データを表示する機能を持ったアナログ映像再生装置に本発明を適用した実施形態である。図５中、実施形態１と同等の機能を持つブロックには同じ符号を付して説明を省略する。
【００３９】
アナログ映像再生装置２１は、受信部１１に代えて再生処理部２２を備える。
再生処理部２２は、例えば、ビデオプレーヤであり、アナログ映像をアナログ映像再生装置２１に入力する機能を備える。入力されたアナログ映像は通常は表示処理部１４に入力される。
【００４０】
また、アナログ映像再生装置２１は、受信制御部１９に代えて再生制御部２３を備える。再生制御部２３は、再生処理部２２の再生開始や停止や再生するコンテンツの切り替えを制御する。また、再生制御部２３は、本実施形態においては、チラつき検出を行うべきタイミングとして、コンテンツの切り替え時、コンテンツの再生開始時及び再生再開時に、その旨をチラつき検出／表示制御部１６に通知する。
【００４１】
アナログ映像再生装置２１は、さらに、映像エンコード部２４とパラメータ抽出部２５を備える。再生処理部２２は、コンテンツの切り替え時、コンテンツの再生開始時及び再生再開時に、所定量の映像データを映像エンコード部２４にも入力する。
【００４２】
ここで、所定量の映像データとは、チラつき検出の判断に必要な程度の量であることが好ましい。具体的には、画面の上部数ラインに相当する量の映像データである。
【００４３】
映像エンコード部２４は、入力されたアナログの映像データをデジタル符号化（エンコードし）、パラメータ抽出部２５に入力する。パラメータ抽出部２５は、符号化された映像データの輝度や高周波成分等のパラメータを抽出し、チラつき検出／表示制御部１６に入力する。これに基づき、チラつき検出／表示制御部１６は、チラつき検出を行う。以後の処理は、実施形態１と同様である。
【００４４】
本実施形態においても、実施形態１と同様の効果が得られる。本実施形態においては、入力される映像がアナログデータであっても一旦デジタル符号化してチラつき検出を行うことで、入力される映像に忠実な表示を行う一方チラつきがある映像に対してはチラつき防止表示を行うため、チラつきを視聴者に意識させない表示が可能になる。
【符号の説明】
【００４５】
１    デジタル放送受信機
１１    受信部
１２    ストリーム分離部
１３    映像デコード部
１４    表示処理部
１５    表示部
１６    チラつき検出／表示制御部
１７    番組表管理部
１８    番組表データ
１９    受信制御部
２０    ユーザインタフェース
２１    アナログ映像再生装置
２２    再生処理部
２３    再生制御部
２４    映像エンコード部
２５    パラメータ抽出部
【図１】
2011151715.tif 000003
【図２】
2011151715.tif 000004
【図３】
2011151715.tif 000005
【図４】
2011151715.tif 000006
【図５】
2011151715.tif 000007